(57)【要約】【課題】簡易かつ低コストに、防爆区域又はその近くで防爆ロボットのメンテナンスを可能にする。【解決手段】防爆ロボットを収容するためのチャンバと、前記チャンバの内部に非引火性ガスを導入可能なガス導入部と、を備える。【選択図】図１
2018069372.tif 000002
【特許請求の範囲】
【請求項１】
防爆ロボットを収容するためのチャンバと、
前記チャンバの内部に非引火性ガスを導入可能なガス導入部と、
を備えることを特徴とする防爆ロボットのメンテナンス設備。
【請求項２】
前記防爆ロボットが前記チャンバに収容されたことを検出可能なセンサと、
前記チャンバに前記防爆ロボットが出入りする際に開閉可能な開閉部を駆動する開閉駆動部と、
前記センサの検出結果に基づいて前記開閉駆動部を制御する開閉制御部と、
を備えることを特徴とする請求項１に記載の防爆ロボットのメンテナンス設備。
【請求項３】
前記開閉駆動部は、
前記開閉部を駆動するためのエアシリンダと、
圧縮気体を内蔵するガスボンベと、
前記エアシリンダと前記ガスボンベとの間に設けられた気体給排路と、
前記チャンバの防爆構造を有する室内に設けられ、前記気体給排路に介装された流路切替弁と、
を含むことを特徴とする請求項２に記載の防爆ロボットのメンテナンス設備。
【請求項４】
前記圧縮気体は非引火性ガスであり、
前記ガス導入部は、前記気体給排路から分岐し、前記チャンバに導設されたガス導入路を含み、
前記開閉部の閉鎖動作と共に、前記ガス導入路を介して前記チャンバに前記非引火性ガスが導入されるように構成したことを特徴とする請求項３に記載の防爆ロボットのメンテナンス設備。
【請求項５】
前記防爆ロボットが前記チャンバに収容された際に、前記防爆ロボットの防爆ケーシングの外表面に設けられ、前記防爆ケーシング内に収容された充電器に第１スイッチを介して接続された第１給電端子に対面するように、前記チャンバ内に設けられた第２給電端子と、
前記第２給電端子と電力供給源とに接続された第２給電路と、
前記チャンバの防爆構造を有する室内に設けられ、前記第２給電路に介装された第２スイッチと、
前記センサの検出結果に基づいて前記第２スイッチを開閉する給電制御部と、
を備えることを特徴とする請求項２乃至４の何れか１項に記載の防爆ロボットのメンテナンス設備。
【請求項６】
前記給電制御部は、
前記センサが前記防爆ロボットの前記チャンバ内への収容を検出した時から所定時間遅れて前記スイッチを閉じるように制御することを特徴とする請求項５に記載の防爆ロボットのメンテナンス設備。
【請求項７】
前記チャンバは少なくとも一側壁が透明な側壁で構成され、
前記側壁にグローブボックスを備えることを特徴とする請求項１乃至６の何れか１項に記載の防爆ロボットのメンテナンス設備。
【請求項８】
非引火性ガスを内部に導入可能なチャンバを用いて防爆ロボットのメンテナンス作業を実施する防爆ロボットのメンテナンス方法であって、
前記チャンバに設けられた開閉部を開いて、前記チャンバ内に前記防爆ロボットを収容する収容ステップと、
前記収容ステップの後で、前記開閉部を閉じることにより前記チャンバ内外を隔離する隔離ステップと、
前記チャンバ内に前記非引火性ガスを導入するガス導入ステップと、
前記非引火性ガスの導入が完了した後、前記チャンバ内で前記メンテナンス作業を実施する作業実施ステップと、
を含むことを特徴とする防爆ロボットのメンテナンス方法。
【請求項９】
前記収容ステップでは、前記防爆ロボットが有する第１給電端子が前記チャンバが有する第２給電端子に接触するように、前記防爆ロボットが収容され、
前記作業実施ステップでは、互いに接触する前記第１給電端子及び前記第２給電端子を介して前記チャンバ側から前記防爆ロボットに給電する給電作業が実施されることを特徴とする請求項８に記載の防爆ロボットのメンテナンス方法。
【請求項１０】
前記作業実施ステップは、前記ガス導入ステップの完了後、所定時間遅れて実行されることを特徴とする請求項８又は９に記載の防爆ロボットのメンテナンス方法。
【請求項１１】
前記ガス導入ステップでは、
前記チャンバの内部が前記チャンバの外圧に比べて高くなるように前記非引火性ガスの導入が行われることを特徴とする請求項８乃至１０の何れか１項に記載の防爆ロボットのメンテナンス方法。
【発明の詳細な説明】
【技術分野】
【０００１】
本開示は、爆発性雰囲気で使用可能な防爆ロボットのメンテナンス設備及びメンテナンス方法に関する。
【背景技術】
【０００２】
爆発性雰囲気における防災支援作業や建築物保全作業では、産業保安の観点から防爆対策が施された防爆機器が使用される。防爆機器では、使用される電気部品の電気火花や高温部が爆発性雰囲気に対して点火源とならないよう防爆対策が施されている。
防爆機器を実際の作業で使用するためには、実務上、型式検定機関による検定が必要とされている。このような検定は、例えば国際規格である国際整合防爆指針２００８Ｅｘに基づいて実施される（具体的な規格運用に関しては、例えば非特許文献１を参照）。
【０００３】
この種の防爆機器の幾つかの例として、特許文献１及び２には、爆発性雰囲気に侵入して作業を行う産業用ロボットに用いられる防爆構造が開示されている。特許文献１には、外部に設けられたエア供給源からエアパイプを介してロボットのケーシング内にエアを供給することにより、ケーシング内の圧力を周囲の爆発性雰囲気の圧力より高く保持することで、電気部品のあるケーシング内に爆発性気体が流入することを防止する防爆構造が開示されている。特許文献２では、特に、ケーシング内の圧力が低下することでケーシング内への爆発性気体が流入するおそれがある場合に、ケーシング内の電気部品への通電を遮断する保護監視装置を備えることが記載されている。
また特許文献２には、ケーシング内にエアを供給するためのエアタンクをケーシングの外側に搭載した防爆構造が開示されており、特許文献１と同様に、ケーシング内の圧力が低下した場合に、ケーシング内の電気部品への通電を遮断することが記載されている。
【０００４】
特許文献３には、防爆区域における防爆ロボットのメンテナンス方式として、内圧加圧方式の防爆構造を有する電源供給ダクトから移動ロボットへ給電する給電方式が開示されている。
特許文献４には、防爆ロボットに対し、外部との信号のやり取りを無線で行い、給電を非接触式給電で行う方法が開示されている。
【先行技術文献】
【特許文献】
【０００５】
【特許文献１】特許第２７９６４８２号公報
【特許文献２】特開２０１５−３６１７２号公報
【特許文献３】特開平０６−１９６２４０号公報
【特許文献４】特開平１１−２３４１５６号公報
【非特許文献】
【０００６】
【非特許文献１】一般社団法人  日本電気制御機器工業会  防爆委員会「防爆安全ガイドブック（設備安全のための防爆電気機器点検ガイド）」
【発明の概要】
【発明が解決しようとする課題】
【０００７】
引火性ガス雰囲気の危険場所で、防爆ロボットのメンテナンスや充電等の作業をする場合、裸端子やコネクタの使用は許容されない。そのため、防爆要件（例えば、耐圧防爆容器内部へ電気要素を収容した後、通電するなどの措置）を満たす必要がある。
特許文献３に開示された方式は、給電のみ可能であり、分解、点検等、他のメンテナンスを行うことはできない。
特許文献４に開示された方法は、防爆ロボットに対し、外部から非接触で信号のやり取りや給電を行うため、装置が高価になるという問題がある。
【０００８】
少なくとも一実施形態は、上述の問題点に鑑みなされてものであり、簡易かつ低コストで防爆区域又はその近くで防爆ロボットのメンテナンスを可能にすることを目的とする。
【課題を解決するための手段】
【０００９】
（１）少なくとも一実施形態に係る防爆ロボットは、
防爆ロボットを収容するためのチャンバと、
前記チャンバの内部に非引火性ガスを導入可能なガス導入部と、
を備える。
なお、ここで、「防爆ロボット」とは、防爆構造を有するロボットであり、「防爆構造」とは、前述の国際整合防爆指針２００８Ｅｘに規定された構造である。例えば、特許文献１に開示されているように、ケーシング内の圧力を周囲の爆発性雰囲気より高く保持することで、電気部品のあるケーシング内に爆発性気体が流入することを防止する防爆構造であり、又は、耐圧容器に電気要素を収容し、耐圧容器の内部で引火性ガス爆発があっても、耐圧容器の周囲に影響を及ぼさない防爆構造等である。
【００１０】
上記（１）の構成によれば、チャンバ内に防爆ロボットを収容した後、チャンバの内部に非引火性ガスを導入し、チャンバ内雰囲気を非引火性ガスで置換することで、引火性ガス爆発のおそれなく、分解、点検、給電等のメンテナンスが可能になる。
また、チャンバを防爆区域又はその近くに設置することで、防爆区域又はその近傍で防爆ロボットのメンテナンスが可能になる。
【００１１】
（２）一実施形態では、前記（１）の構成において、
前記防爆ロボットが前記チャンバに収容されたことを検出可能なセンサと、
前記チャンバに前記防爆ロボットが出入りする際に開閉可能な開閉部を駆動する開閉駆動部と、  
前記センサの検出結果に基づいて前記開閉駆動部を制御する開閉制御部と、
を備える。
上記（２）の構成によれば、上記センサで防爆ロボットがチャンバ内に収容されたことを検出し、上記開閉制御部によって上記開閉部を閉じることで、防爆ロボットのチャンバへの収容を自動化できる。従って、作業員が防爆区域に立ち入る必要がなくなり、作業員の安全を確保できる。
【００１２】
（３）一実施形態では、前記（２）の構成において、
前記開閉駆動部は、
前記チャンバの前記開閉部を駆動するためのエアシリンダと、
圧縮気体を内蔵するガスボンベと、
前記エアシリンダと前記ガスボンベとの間に設けられた気体給排路と、
前記チャンバの防爆構造を有する室内に設けられ、前記気体給排路に介装された流路切替弁と、
を含む。
上記（３）の構成において、ガスボンベ内の圧縮気体は上記気体給排路を介してエアシリンダに給排され、上記開閉部を開閉する。上記流路切替弁によってエアシリンダのシリンダ室への圧縮気体の給排が切り替えられ、上記開閉部の開閉動作が切り替えられる。
【００１３】
上記（３）の構成によれば、ガスボンベ内の圧縮気体を用いた機械的な駆動手段でチャンバの開閉部を駆動するので、電気部品によるスパークの発生を避けることができる。従って、引火性ガス爆発のおそれなく防爆ロボットのメンテナンスが可能になる。
なお、上記流路切替弁は防爆構造を有する室内に設けられるので、流路切替弁の動作に起因して引火性ガス爆発が起こっても室外への影響はない。
【００１４】
（４）一実施形態では、前記（３）の構成において、
前記圧縮気体は非引火性ガスであり、
前記ガス導入部は、前記気体給排路から分岐し、前記チャンバに導設されたガス導入路を含み、
前記開閉部の閉鎖動作と共に、前記ガス導入路を介して前記チャンバに前記非引火性ガスが導入されるように構成する。
上記（４）の構成によれば、上記開閉駆動部で用いられる非引火性ガスを上記ガス導入路からチャンバへ導入するようにしたので、ガス導入部の構成を簡易かつ低コスト化できる。
【００１５】
（５）一実施形態では、前記（２）〜（４）の何れかの構成において、
前記防爆ロボットが前記チャンバに収容された際に、前記防爆ロボットの防爆ケーシングの外表面に設けられ、前記防爆ケーシング内に収容された充電器にコンタクタを介して接続された第１給電端子に対面するように、前記チャンバ内に設けられた第２給電端子と、
前記第２給電端子と電力供給源とに接続された第２給電路と、
前記チャンバの防爆構造を有する室内に設けられ、前記第２給電路に介装されたスイッチと、
前記センサの検出結果に基づいて前記スイッチを開閉する給電制御部と、
を備え、
前記コンタクタは、前記第１給電路に設けられ、前記第１給電端子と前記第２給電端子とが接触し、前記第１給電路に電圧が付加されたときのみ前記第１給電路を閉じるものである。
【００１６】
上記（５）の構成において、防爆ロボットがチャンバ内に進入することで、上記第１給電端子と上記第２給電端子とが自動的に接触する。第１給電端子と第２給電端子とが接触すると、上記給電制御部は上記スイッチを閉じる。これによって、第２給電路から第１給電路を介して充電器に給電される。
このように、防爆ロボットがチャンバ内に収容された後、充電器に自動的に給電されるため、作業員がチャンバに立ち入らなくても給電が可能になり、そのため、作業員の安全を確保できる。
なお、上記コンタクタは、第１給電端子と第２給電端子とが接触し、第１給電路に電圧が付加されたときのみ第１給電路を閉じるように作動するので、防爆ロボットの給電時以外は、第１給電端子と充電器とは電気的に遮断される。従って、給電時以外に、第１給電端子からスパークなどが発生するのを防止できる。
【００１７】
（６）一実施形態では、前記（５）の構成において、
前記給電制御部は、
前記センサが前記防爆ロボットの前記チャンバ内への収容を検出した時から所定時間遅れて前記スイッチを閉じるように制御する。
上記（６）の構成によれば、上記センサが防爆ロボットの収容を検出した時から給電開始までの間に所定時間遅れを持たせることで、防爆ロボットの収容後から給電までの間、周囲の安全確認を行う時間を確保できる。
【００１８】
（７）一実施形態では、前記（１）〜（６）の何れかの構成において、
前記チャンバは少なくとも一側壁が透明な側壁で構成され、
前記側壁にグローブボックスを備える。
上記（８）の構成によれば、透明な側壁にグローブボックスを備えることで、チャンバに収納された防爆ロボットの分解、点検等のメンテナンスをチャンバの外側から行うことができる。
【００１９】
（８）少なくとも一実施形態に係る防爆ロボットのメンテナンス方法は、
非引火性ガスを内部に導入可能なチャンバを用いて防爆ロボットのメンテナンス作業を実施する防爆ロボットのメンテナンス方法であって、
前記チャンバに設けられた開閉部を開いて、前記チャンバ内に前記防爆ロボットを収容する収容ステップと、
前記収容ステップの後で、前記開閉部を閉じることにより前記チャンバ内外を隔離する隔離ステップと、
前記チャンバ内に前記非引火性ガスを導入するガス導入ステップと、
前記非引火性ガスの導入が完了した後、前記チャンバ内で前記メンテナンス作業を実施する作業実施ステップと、
を含む。
【００２０】
上記（８）の方法によれば、防爆ロボットをチャンバ内に収容した後、チャンバ内外を隔離した状態で、チャンバの内部に非引火性ガスを導入し、チャンバ内の引火性ガスを非引火性ガスで置換することで、引火性ガス爆発のおそれなく、分解、点検、給電等のメンテナンスが可能になる。
また、チャンバを防爆区域又はその近くに設置することで、防爆区域又はその近傍で防爆ロボットのメンテナンスが可能になる。
【００２１】
（９）一実施形態では、前記（８）の方法において、
前記収容ステップでは、前記防爆ロボットが有する第１給電端子が前記チャンバが有する第２給電端子に接触するように、前記防爆ロボットが収容され、
前記作業実施ステップでは、互いに接触する前記第１給電端子及び前記第２給電端子を介して前記チャンバ側から前記防爆ロボットに給電する給電作業が実施される。
上記（９）の方法によれば、防爆ロボットがチャンバに収容されると、第１給電端子が第２給電端子に接触するようにしたので、チャンバ内で防爆ロボットへの給電を自動的に行うことができる。
【００２２】
（１０）一実施形態では、前記（８）又は（９）の方法において、
前記作業実施ステップは、前記ガス導入ステップの完了後、所定時間遅れて実行される。
上記（１０）の方法によれば、チャンバ内雰囲気を非引火性ガスで置換した後、作業実施ステップの開始を所定時間だけ遅らせることで、防爆ロボットの収容後から作業開始までの間、周囲の安全確認を行う時間を確保できる。
【００２３】
（１１）一実施形態では、前記（８）〜（１０）の何れかの方法において、
前記ガス導入ステップでは、
前記チャンバの内部が前記チャンバの外圧に比べて高くなるように前記非引火性ガスの導入が行われる。
上記（１１）の方法によれば、チャンバの内部を前記チャンバの外部より加圧された状態とすることで、チャンバ外の引火性ガスを含む雰囲気がチャンバ内に侵入するのを防止でき、チャンバ内を防爆状態に維持できる。
【発明の効果】
【００２４】
少なくとも一実施形態によれば、防爆ロボットを爆発性雰囲気中又はその近くで簡易かつ低コストでメンテナンスが可能になる。
従って、防爆ロボットのメンテナンスが容易になるため、防爆ロボットの活動範囲を広げることができる。これによって、防爆ロボットによる災害時の状況確認が迅速かつ確実になり、人名救助や施設保全のレベルアップが可能になる。また、石油化学プラントの巡回などを防爆ロボットで行うことで、人件費を削減できると共に、点検頻度が上がり安全性を向上できる。
【図面の簡単な説明】
【００２５】
【図１】一実施形態に係るメンテナンス設備の断面図である。
【図２】一実施形態に係るメンテナンス設備の断面図である。
【図３】一実施形態に係るメンテナンス設備の斜視図である。
【図４】一実施形態に係るメンテナンス方法の工程図である。
【発明を実施するための形態】
【００２６】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
また例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一の構成要素を「備える」、「具える」、「具備する」、「含む」、又は、「有する」という表現は、他の構成要素の存在を除外する排他的な表現ではない。
【００２７】
幾つかの実施形態に係る防爆ロボットのメンテナンス設備１０（１０Ａ、１０Ｂ）を図１及び図２に示す。
図１及び図２において、メンテナンス設備１０（１０Ａ、１０Ｂ）は、チャンバ１２を備える。チャンバ１２は、例えば、爆発性雰囲気を有する防爆区域又はその近傍に設けることができる。また、チャンバ１２は開閉部２２を備え、防爆ロボット１６をチャンバ１２の内部に収容可能であり、かつチャンバ内に非引火性ガスを導入するガス導入部１４を備える。
防爆ロボット１６は防爆構造を有して自走可能な作業用ロボットである。ここで、「防爆構造」とは、前述の国際整合防爆指針２００８Ｅｘに規定された構造である。
一実施形態では、防爆ロボット１６は走行するための車輪２０を備える。あるいは、図３に示すように、防爆ロボット１６は走行するための無限軌道７２を備える。
【００２８】
防爆ロボット１６のメンテナンスを行うとき、開閉部２２を開けチャンバ１２の内部に防爆ロボット１６を収容する。そして、開閉部２２を閉じチャンバ１２内の収容空間Ｓ１を密閉状態とする。その後、収容空間Ｓ１に非引火性ガスを導入して該収容空間の雰囲気を非引火性ガスと置換する。
これによって、収容空間Ｓ１で引火性ガス爆発のおそれなく、防爆ロボット１６の分解、点検、給電等のメンテナンスが可能になる。
また、チャンバ１２を防爆区域又はその近くに設置することで、防爆ロボット１６をメンテナンスのために遠方まで移動させる必要がなく、防爆区域又はその近傍で防爆ロボット１６のメンテナンスが可能になる。
【００２９】
一実施形態では、チャンバ１２の内部に仕切壁２５が立設され、開閉部２２と仕切壁２５との間に収容空間Ｓ１が形成される。この実施形態では、防爆ロボット１６は収容空間Ｓ１に収容される。開閉部２２が閉じられ、収容空間Ｓ１の雰囲気が非引火性ガスと置換された後、収容空間Ｓ１を非引火性ガスによってチャンバ外より加圧状態にすると、チャンバ外の引火性ガスが収容空間Ｓ１に侵入するのを抑制でき、防爆条件を満たす防爆構造とすることができる。
別の防爆構造として、開閉部２２を閉じたとき、収容空間Ｓ１を形成するチャンバ１２の隔壁、仕切壁２５及び開閉部２２を耐圧性の密閉可能な構造とすることで、防爆構造とすることができる。これによって、防爆ロボット１６のメンテナンス中に、防爆ロボット１６が搭載するバッテリなどの電気要素が点火源となって爆発が生じたときでも、周囲への影響を抑制できる。
【００３０】
一実施形態では、図１及び図２に示すように、チャンバ１２は、防爆ロボット１６がチャンバ内に収容されたことを検出するセンサ２４を備える。また、チャンバ１２は防爆ロボット１６がチャンバ１２を出入りする際に開閉部２２を開閉する開閉駆動部２６と、センサ２４の検出結果に基づいて開閉駆動部２６を制御する制御部２８（開閉制御部）と、を備える。
防爆ロボット１６がチャンバ内に収容され、センサ２４がそれを検出すると、制御部２８によって開閉駆動部２６が作動し、開閉部２２が閉じると収容空間Ｓ１が密閉される。
これによって、防爆ロボット１６のチャンバ１２への収容を自動化できる。従って、作業員が引火性ガス雰囲気に立ち入って防爆ロボット１６の収容作業を行う必要がないので、作業員の安全を確保できる。
さらに、制御部２８は、開閉部２２の閉動作を確認してガス導入部１４を作動させ、収容空間Ｓ１に非引火性ガスを導入するように制御する構成としてもよい。
【００３１】
一実施形態では、センサ２４はリミットスイッチである。このリミットスイッチは仕切壁２５に収容空間Ｓ１に面して設けられる。一方、防爆ロボット１６の外壁１８の一端に接触端２７が設けられる。接触端２７は該リミットスイッチに対面する位置に設けられ、接触端２７が該リミットスイッチに接触すると、該リミットスイッチから制御部２８に信号が送られ、制御部２８は開閉駆動部２６を作動させ収容空間Ｓ１を閉じる。
一実施形態では、開閉部２２は上下方向に移動可能なシャッタであり、該シャッタを上下方向へ移動させるエアシリンダ３０がチャンバ１２の上壁面に設けられる。エアシリンダ３０のピストン３８ｃは上下方向に動くように配置される。該シャッタはピストン３８ｃと一体に設けられ、エアシリンダ３０によって上下方向に移動することで、収容空間Ｓ１を開閉する。
【００３２】
一実施形態では、開閉駆動部２６は、エアシリンダ３０と、ガスボンベ３２と、気体給排路３４と、気体給排路３４に介装された流路切替弁３６と、を含む。
エアシリンダ３０は、前述のように開閉部２２を開閉動作させる。ガスボンベ３２には圧縮気体が内蔵されている。気体給排路３４はエアシリンダ３０とガスボンベ３２との間に設けられる。
ガスボンベ３２内の圧縮気体は気体給排路３４を介してエアシリンダ３０に給排される。流路切替弁３６によってエアシリンダ３０のシリンダ室３８ａ及び３８ｂへの圧縮気体の給排が切り替えられ、これによって、開閉部２２の開閉動作が切り替えられる。
【００３３】
上記構成の開閉駆動部２６によれば、ガスボンベ３２内の圧縮気体を用いた機械的な駆動手段で開閉部２２を駆動するので、開閉駆動部２６で電気的スパークは発生しない。従って、開閉駆動部２６の動作に起因する引火性ガス爆発のおそれをなくすことができる。
【００３４】
一実施形態では、仕切壁２５とチャンバ１２の外壁１２ａで密閉空間Ｓ２が形成され、密閉空間Ｓ２を形成する壁面は上記防爆指針を満たす耐圧防爆容器を形成する。流路切替弁３６は密閉空間Ｓ２に配置される。
これによって、流路切替弁３６の作動が点火源となって引火性ガス爆発が生じた場合であっても、密閉空間Ｓ２の周囲への影響を抑制できる。
【００３５】
一実施形態では、ガスボンベ３２内の圧縮気体は非引火性ガスであり、ガス導入部１４は、気体給排路３４から分岐し、収容空間Ｓ１に導設されたガス導入路４０を含む。この実施形態では、開閉部２２が閉鎖動作を行うと共に、ガス導入路４０を介して収容空間Ｓ１に非引火性ガスが導入される。
これによって、開閉駆動部２６にガス導入路４０を加えただけの構成で、開閉部２２の開閉と、チャンバ１２内への非引火性ガスの導入とを行うことができるので、ガス導入路４０の構成を簡易かつ低コスト化できる。
【００３６】
一実施形態では、図２に示すように、防爆ロボット１６の外壁に第１給電端子４２が設けられ、防爆ロボット１６に充電器４４が搭載される。第１給電端子４２と充電器４４とは第１給電路４６で接続される。
他方、チャンバ１２には、チャンバ１２の内部で第１給電端子４２と対面する位置に第２給電端子５２が設けられ、第２給電端子５２は第２給電路５４を介して電力供給源（不図示）に接続される。
スイッチ５６は第２給電路５４に介装され、防爆構造を形成する密閉空間Ｓ２に設けられる。即ち、密閉空間Ｓ２を囲む仕切壁２５とチャンバ１２の外壁とで耐圧容器が形成される。制御部２８（給電制御部）は、センサ２４の検出結果に基づいてスイッチ５６を開閉する。
【００３７】
上記構成において、防爆ロボット１６がチャンバ１２内に進入し、第１給電端子４２と第２給電端子５２とが接触すると、制御部２８はスイッチ５６を閉じる。これによって、第２給電端子５２と電力供給源とが接続され、第２給電路５４から第１給電路４６を介して充電器４４に給電される。
一実施形態では、防爆ロボット１６には、バッテリ４８が搭載され、充電器４４を介してバッテリ４８に蓄電される。防爆ロボット１６に充電器４４及びバッテリ４８等の動作を制御するバッテリ制御部５０が搭載される。
【００３８】
これによって、防爆ロボット１６がチャンバ１２内に進入し、第１給電端子４２と第２給電端子５２とが接触すると、充電器４４に自動的に給電されるため、作業員がチャンバ１２に立ち入らなくても給電が可能になる。そのため、作業員の安全を確保できる。
この実施形態では、制御部２８は、開閉部２２の開閉制御と防爆ロボット１６への給電時の給電制御とを兼用する。他方、開閉部２２の開閉制御と給電制御とを別な制御部で行うようにしてもよい。
【００３９】
一実施形態では、図２に示すように、制御部２８の給電制御は、センサ２４が防爆ロボット１６のチャンバ内への収容を検出した時から所定時間の遅れをもってスイッチ５６を閉じるようにする。
このように、センサ２４が防爆ロボット１６の収容を検出した時から給電開始までの間に遅れを持たせることで、安全を確認する時間を確保できる。
【００４０】
一実施形態では、上記遅れ動作は、センサ２４が防爆ロボット１６の収容を検出した時から設定されたカウント数を経た後、スイッチ５６を閉じるようにする。
一実施形態では、上記遅れ動作は、制御部２８にタイマを内蔵させ、該タイマによってセンサ２４が防爆ロボット１６の収容を検出した時から所定時間の遅れをもってスイッチ５６を閉じるようにしてもよい。
【００４１】
一実施形態では、図２に示すように、仕切壁２５に引火性ガスを検出するガスセンサ５８を設ける。そして、センサ２４が防爆ロボット１６の収容を検出した後、チャンバ１２の内部に非引火性ガスの導入を開始する。その後、ガスセンサ５８がチャンバ内の引火性ガス量が許容値を下回ったことを検出した後、防爆ロボット１６への給電を開始する。
これによって、チャンバ１２の内部が確実に防爆条件を満たしたことを確認して、給電を開始できる。
【００４２】
一実施形態では、コンタクタ６０を第１給電路４６に設ける。コンタクタ６０は、第１給電端子４２と第２給電端子５２とが接触し、第１給電路４６に電圧が付加されたときのみ第１給電路４６を閉じる。
これによって、防爆ロボット１６への給電時以外は、第１給電端子４２と充電器４４とは電気的に遮断されているので、第１給電端子４２からスパークなどが発生するおそれはなく、引火性ガス爆発を防止できる。
【００４３】
図３は、チャンバ１２の一実施形態を示す。
図３に示すように、一実施形態では、チャンバ１２は少なくとも一側壁が透明な側壁６２で構成される。また、透明な側壁６２の一部にグローブボックス６４を備える。
これによって、作業員は、チャンバ１２に収容された防爆ロボット１６をチャンバ１２の外から目視しながら、グローブボックス６４を用いて、防爆ロボット１６の分解、点検等を行うことができる。
【００４４】
一実施形態では、図３に示すように、チャンバ１２の上面に非引火性ガスを導入するガス導入ダクト６６が接続され、ガス導入ダクト６６の流路を開閉するダンパ６８が設けられる。開閉制御部７０は、チャンバ１２の開閉部（不図示）が閉じられたことを検出した後、ダンパ６８を開方向へ動作させ、非引火性ガスをチャンバ１２の内部へ導入する。
一実施形態では、図３に示すように、防爆ロボット１６は、走行部として無限軌道７２を備える。
【００４５】
少なくとも一実施形態に係る防爆ロボットのメンテナンス方法は、非引火性ガスを内部に導入可能なチャンバ１２を用い、防爆ロボット１６のメンテナンス作業を実施するものである。
即ち、図４に示すように、まず、チャンバ１２に設けられた開閉部２２を開いて、チャンバ１２内に防爆ロボット１６を収容する（収容ステップＳ１０）。
収容ステップＳ１０の後で、開閉部２２を閉じることでチャンバ内外を隔離する（隔離ステップＳ１２）。
次に、チャンバ内に非引火性ガスを導入し、チャンバ内の引火性ガス雰囲気を非引火性ガスと置換する（ガス導入ステップＳ１４）。
非引火性ガスの導入が完了した後で、チャンバ内でメンテナンス作業を実施する（作業実施ステップＳ１６）。
【００４６】
上記方法によれば、防爆構造を有するチャンバ１２の内部で引火性ガス爆発のおそれなく、防爆ロボット１６の分解、点検等のメンテナンスが可能になる。
また、チャンバ１２を防爆区域又はその近くに設置することで、防爆ロボット１６を防爆区域から離れた位置まで移動させることなく、防爆区域又はその近傍でメンテナンスが可能になる。
【００４７】
一実施形態では、収容ステップＳ１０において、防爆ロボット１６が有する第１給電端子４２がチャンバ１２が有する第２給電端子５２に接触するように、防爆ロボット１６が収容される。
一実施形態では、作業実施ステップＳ１６において、互いに接触する第１給電端子４２及び第２給電端子５２を介してチャンバ側から防爆ロボット１６に給電する給電作業が実施される。
上記方法によれば、防爆ロボット１６がチャンバ１２に収容されると、第１給電端子４２が第２給電端子５２に接触するようにしたので、チャンバ内で防爆ロボット１６への給電を自動的に行うことができる。
【００４８】
一実施形態では、第１給電端子４２と第２給電端子５２とを互いに対面する位置に配置する。例えば、第１給電端子４２は防爆ロボット１６の外壁１８の一端に設けられる。
【００４９】
一実施形態では、作業実施ステップＳ１６は、ガス導入ステップＳ１４の完了後所定時間遅れて実行される。
これによって、チャンバ内雰囲気を非引火性ガスに置換した後、作業実施ステップＳ１６を所定時間遅らせることで、防爆ロボット１６の収容後から作業開始までの間、周囲の安全確認を行う時間を確保できる。
【００５０】
一実施形態では、ガス導入ステップＳ１４において、チャンバ１２の内部をチャンバ１２の外部より高圧となるように非引火性ガスの導入を行う。
これによって、チャンバ外の引火性ガスを含む雰囲気がチャンバ内に侵入するのを防止でき、チャンバ内を防爆状態に維持できる。
一実施形態では、チャンバ１２を耐圧防爆容器とし、チャンバ１２の内部に電気要素を収容することで、該電気要素又は防爆ロボット１６に搭載されたバッテリなどの電気要素が点火源となって爆発が生じても、チャンバ１２の周囲への影響を抑制できる。  
【００５１】
上記実施形態の各々に係るメンテナンス設備１０は、爆発性雰囲気中又はその近くに設けることで、防爆ロボット１６を爆発性雰囲気中又はその近くで簡易にメンテナンスすることが可能になる。
従って、防爆ロボット１６のメンテナンス作業が容易になるため、防爆ロボット１６の活動範囲を広げることができる。従って、災害時の状況確認が迅速かつ確実になり、人名救助や施設保全のレベルアップが可能になる。また、石油化学プラントの巡回などを産業用ロボットで行うことで、人件費を削減できると共に、点検頻度が上がり安全性を向上できる。
【産業上の利用可能性】
【００５２】
幾つかの実施形態によれば、爆発性雰囲気中又はその近くで簡易かつ低コストで防爆ロボットのメンテナンスが可能になり、これによって、防爆ロボットの活動範囲を広げることができる。
【符号の説明】
【００５３】
１０（１０Ａ、１０Ｂ）    メンテナンス設備
１２    チャンバ
１４    ガス導入部
１６    防爆ロボット
１２ａ、１８    外壁
２０    車輪
２２    開閉部
２４    センサ
２５    仕切壁
２６    開閉駆動部
２７    接触端
２８    制御部（開閉制御部、給電制御部）
３０    エアシリンダ
３２    ガスボンベ
３４    気体給排路
３６    流路切替弁
３８ａ、３８ｂ    シリンダ室
３８ｃ    ピストン
４０    ガス導入路
４２    第１給電端子
４４    充電器
４６    第１給電路
４８    バッテリ
５０    バッテリ制御部
５２    第２給電端子
５４    第２給電路
５６    スイッチ
５８    ガスセンサ
６０    コンタクタ
６２    側壁
６４    グローブボックス
６６    ガス導入ダクト
６８    ダンパ
７０    開閉制御部
７２    無限軌道
Ｓ１     収容空間
Ｓ２     密閉空間
【図１】
2018069372.tif 000003
【図２】
2018069372.tif 000004
【図３】
2018069372.tif 000005
【図４】
2018069372.tif 000006